(57)【要約】【課題】乳児のお尻を洗面所のシャワーなどを利用してオムツ替え時簡単に洗える乳児用沐浴具を提供する。【解決手段】柔軟性のある部材で底部２とその底部の周囲を囲う側部３とを備え、前記底部２に弾力性のあるほぼU字形座部５を設けて、乳児１のお尻を乗せ、さらには、前記U字形座部５の両端５ａには上向きの突出部５ａを設けて赤ちゃんの大腿部を固定したり、側部３に乳児１の足首を固定するクッション性のある足首固定具６を設けて乳児１の陰部の間に入った大便などを洗いやすくしたり、お尻洗い時にシャワーのしぶきから乳児１の衣服を濡れにくくするため防水カバー７を側部３の前半部に張架する。【選択図】  図１
2008284276.tif 000002
【特許請求の範囲】
【請求項１】
柔軟性のある部材で底部とその底部の周囲を囲う側部とを備え、前記底部に弾力性のあるほぼU字形座部を設けたことを特徴とする乳児用沐浴具。
【請求項２】
前記側部は空気送入、排出による伸縮可能な平行に連結する複数の筒からなり、前記U字形座部の先端には、乳児の大腿部を固定する上向きの突出部を設けたことを特徴とする請求項１記載の乳児用沐浴具。
【請求項３】
前記側部には、乳児の足首を固定するクッション性のある足首固定具を設けたことを特徴とする請求項１又は請求項２記載の乳児用沐浴具。
【請求項４】
前記側部の前半部に乳児の衣服を濡れにくくする防水カバーを張架させたことを特徴とする請求項１又は２又は３記載の乳児用沐浴具。
【発明の詳細な説明】
【技術分野】
【０００１】
本発明は小水大便などでかぶれやすい乳児のお尻を簡単に洗える乳児用沐浴具に関する。
【背景技術】
【０００２】
オムツ替え時にお尻用ウエットティシュなどでお尻を拭く際、特に大便時には何回もお尻を拭かなくては汚れが落ちないためお尻が赤くなり荒れやすくなり、又、アンモニア分も残り匂いもする。特に、乳児のお尻は１日中オムツで包まれており特に夏などは蒸れてお尻がオムツかぶれになりやすくウエットティッシュで拭いてもアンモニア臭はとれにくいなどの問題がある。このような問題を解消するために、種々の提案がされている。
【０００３】
例えば、特許文献１のように、シート本体の周辺部にシンクの凹部周辺に係止される係止部材が設けられ、このシート本体がシンクの凹部に沿って敷設されることにより、上記シート本体によって形成された凹部内に湯水を貯留させるようにして、乳児を沐浴させる作業が楽になり、しかも保管場所をとらない沐浴シートを提供する提案がされている。
【０００４】
又、特許文献２のように、シンクの凹部に沿って敷設しうる大きさのシートと、シンクの凹部に上記シートが敷設されて上記シートによって形成された凹部に沐浴用の湯水を貯留して、乳児等を沐浴させる作業が楽になり、しかも保管場所をとらない沐浴湯水槽を提供する提案がされている。
【０００５】
【特許文献１】特開２０００−８３８５４号公報
【特許文献２】特開２００１−２３１７０１号公報
【発明の開示】
【発明が解決しようとする課題】
【０００６】
しかし、特許文献１および特許文献２は乳児の体の汚れを洗う入浴用ベビーバスであるが、例えば、大便時には特に女の子の場合陰部の間に入り拭きとりにくく洗い残しがでるなど小水大便などでかぶれやすい乳児のお尻の隅々まで洗えにくく、又上半身の衣服を着たままでお尻を洗えば衣服が濡れるという問題がある。
【０００７】
本発明は上記問題点を解消し、小水大便などでかぶれやすい乳児のお尻を隅々まで簡単に洗える乳児用沐浴具を提供することを目的とする。
【課題を解決するための手段】
【０００８】
本発明の乳児用沐浴具は、柔軟性のある部材で底部とその底部の周囲を囲う側部とを備え、前記底部に設けられた弾力性のあるほぼU字形座部を設けることを特徴とする。
【０００９】
さらに、前記側部は空気送入、排出による伸縮可能な平行に連結する複数の筒からなり、前記U字形座部の先端には乳児の大腿部を固定する上向きの突出部を設けたことを特徴とする。
【００１０】
さらに、前記側部には、乳児の足首を固定するクッション性のある足首固定具を設けたことを特徴とする。
【００１１】
前記側部の前半部に乳児の衣服を濡れにくくする防水カバーを張架させたことを特徴とする。
【発明の効果】
【００１２】
本発明の乳児用沐浴具は、柔軟性のある部材で底部とその底部の周囲を囲う側部とを備え、前記底部に設けられた弾力性のあるほぼU字形座部を設けているので、乳児のお尻を乗せてシャワーを使用しながらU字形座部の間から手でお尻を洗うのに便利であり側部に設けたドーナツ型又はC字型の足首用定具に乳児の足首を固定すれば、乳児の足の動きを制限でき汚れの落ちも確認しやすくなる。乳児のお尻を小水大便などからオムツかぶれのしやすいお尻を洗い残しがなく隅々まで洗い、夏場のあせも対策の簡単な沐浴にも使用でき、あせもなどから乳児の肌を清潔に保つことができる。さらには、前記側部の前半部に防水カバーを張架させており、上半身の衣服を着たままで衣服が濡れにくくしてお尻を洗うことができる。
【発明を実施するための最良の形態】
【００１３】
本発明の実施形態を図面に基づいて以下、説明する。
【００１４】
底部２は柔軟性のある部材でできており、前記底部２の周囲には４個の側部３が隙間４を介して環状には配設されており、空気送入、排出による伸縮可能な平行に連結する複数の筒で構成されている。なお、前記側部３は隙間４を設けず、底部２の周囲に隙間なく環状に配設させてもよい。このようにした底部２と側部３とで洗面槽型のクッション性沐浴具を形成しており、例えば洗面所に取り付けのシャワーを利用するので、底部２にはお湯を排水する排水口８が設けられている。これら底部２と側部３の素材としてはビニールプールのような水を弾く素材で、又、肌に触れたとき冷たく感じない素材などが好ましい。
【００１５】
前記底部２には弾力性のあるほぼU字形座部５が設けられており、前記U字形座部５の先端は乳児１のお尻が滑り落ちないように乳児１の大腿部を固定する上向きの突出部５ａが設けられている。
【００１６】
前記側部３には、乳児１の足首を固定するドーナツ形又はＣ字形のクッション性のある足首固定具６が設けられている。このようにして設けられた足首固定具６は乳児１の陰部の間に入った大便などの洗いづらい部分を隅々まで洗いやすく、又確認をしやすくする事ができる。
【００１７】
さらに、前記側部３の前半部には、一対の吊具１０、１０を互いに対面させて設けられている。７は防水カバーであり、その両端に防水カバー７の取り付け取り外しをするためのフック９、９が設けられている。前記防水カバー７のフック９、９を前記吊具１０、１０に引っ掛けて側部３の前半部に防水カバー７を張架させることにより、本発明の乳児用沐浴具を使用中にシャワーのしぶきで乳児１の衣服の濡れを予防する。なお、防水カバー７に乳児１の興味をひくキャラクターの絵や音の出る玩具などを設けて乳児１の気を紛らわせることが出来れば作業がしやすくなる。
【００１８】
このようにして、本発明の乳児用沐浴具は、洗面所のシャワーを利用して、乳児１のお尻を洗い流すための洗面槽型のクッション性又は柔軟性の部材で形成したお尻洗いとし、底部２に弾力性のあるほぼU字形座部５を設け乳児１のお尻を乗せてシャワーを使用しながらU字形座部の間から手でお尻を隅々まで洗うのに便利な乳児用沐浴具を提供するものである。  
【図面の簡単な説明】
【００１９】
【図１】本発明の実施例を示す平面図である。
【図２】同上の乳児のお尻を乗せるU字形座部の拡大図である。
【図３】同上の乳児の足首を固定する足首固定具の拡大図である。
【図４】同上の防水カバーの拡大図である。
【符号の説明】
【００２０】
１    乳児
２    底部
３    側部
４    隙間
５    U字形座部
６    足首固定具
７    防水カバー
８    排水口
９    フック
１０  吊具
【図１】
2008284276.tif 000003
【図２】
2008284276.tif 000004
【図３】
2008284276.tif 000005
【図４】
2008284276.tif 000006